(57)【要約】【課題】自動車の点検作業の効率を向上し得る装置を提供する。【解決手段】自動車の点検作業者が携帯する端末（１１）と、端末（１１）との間で音声信号による送受信を行い得るヘッドセット（２１）と、人の話す音声言語を解析し、話している内容を文字データとして取り出す処理を行う音声認識エンジン（３）と、前記音声認識エンジンを利用するアプリケーションソフト（９）とを備え、アプリケーションソフト（９）は、音声認識エンジン（３）を用い、端末（１１）及びヘッドセット（２１）を介して自動車の点検作業を音声で指示する機能と、前記点検作業の結果を端末（１１）及びヘッドセット（２１）を介し音声で受信して記録する機能と、全ての点検作業の結果を記録した後に点検作業の全ての結果を記入した点検記録票を作成する機能とを有する。【選択図】図２
2015009630.tif 000002
【特許請求の範囲】
【請求項１】
自動車の点検作業者が携帯する端末と、
前記端末との間で音声信号による送受信を行い得るヘッドセットと、
人の話す音声言語を解析し、話している内容を文字データとして取り出す処理を行う音声認識エンジンと、
前記音声認識エンジンを利用するアプリケーションソフトと
を備え、
前記アプリケーションソフトは、
前記音声認識エンジンを用い、前記端末及びヘッドセットを介して少なくとも一つの点検項目を有する自動車の点検作業を音声で指示する機能と、
前記点検作業の結果を前記端末及びヘッドセットを介し音声で受信して記録する機能と、
全ての点検作業の結果を記録した後に点検作業の全ての結果を記入した点検記録票を作成する機能と、
を有することを特徴とする自動車点検記録装置。
【請求項２】
前記アプリケーションソフトは、
前記各点検作業に要する時間を計測する機能と、
各点検作業に要する時間を記載した作業時間票を作成する機能と
をさらに有することを特徴とする請求項１に記載の自動車点検記録装置。
【請求項３】
前記点検作業の指示は、点検作業マニュアルの流れに沿ったものであることを特徴とする請求項１又は請求項２に記載の自動車点検記録装置。
【請求項４】
データをインターネット上に保存し該データを用いたサービスを提供するクラウドをさらに備え、
前記音声認識エンジン及び前記アプリケーションソフトは、前記クラウドにあることを特徴とする請求項１から３までのいずれか一つに記載の自動車点検記録装置。
【請求項５】
前記クラウドは、１つの企業グループが専有するグループ専用クラウドであり、このグループ専用クラウドに前記アプリケーションソフトを常駐させることを特徴とする請求項４に記載の自動車点検記録装置。
【請求項６】
１つの店舗にパソコン、モニター、キーボード、プリンタを備え、
前記パソコンと前記クラウドを接続して前記クラウド上の音声認識エンジン及び前記アプリケーションソフトを前記パソコンにインストールすることを特徴とする請求項４又は５に記載の自動車点検記録装置。
【請求項７】
前記音声認識エンジン及び前記アプリケーションソフトは、前記端末にあることを特徴とする請求項１から３までのいずれか一つに記載の自動車点検記録装置。
【請求項８】
前記端末は、第３世代またはそれよりも新しい世代の携帯電話であるスマートフォン、タブレット型コンピュータまたは携帯情報端末であることを特徴とする請求項１から７までのいずれか一つに記載の自動車点検記録装置。
【発明の詳細な説明】
【技術分野】
【０００１】
この発明は自動車点検記録装置、特にクラウド上に備える音声認識エンジンを用いるものに関する。
【背景技術】
【０００２】
音声認識を利用して自動車の整備を行わせるようにしたものがある（特許文献１参照）。
【先行技術文献】
【特許文献】
【０００３】
【特許文献１】特開平７−１０８９０８号公報
【発明の概要】
【発明が解決しようとする課題】
【０００４】
ところで、カーユーザーが行う法定点検とは別にメーカー推奨点検がある。このメーカー推奨点検の際には、メカニックがキーボードを叩いて点検作業マニュアルを検索したり、点検記録票に点検作業の結果をメカニックがペンで書き込む。そして、点検作業の終了後にはその手書きの点検作業の結果をメカニックがキーボードで入力し、手書きでない点検記録票をプリンタからプリントアウトしている。
【０００５】
この場合、メーカー推奨点検では、点検項目がカーユーザーに分かり易くレイアウトされている。一方、メーカー推奨点検の点検作業はメカニックが行うが、メカニックが行う点検作業の手順は、点検記録票のレイアウトに出ている点検項目の順とは違っている。このため、点検項目の落ちが生じないといえず、落ちの生じた点検項目を再度点検するのでは、点検作業の時間が長引き、点検効率が悪い。
【０００６】
そこで、音声認識を利用し、指示に従ってメカニックがメーカー推奨点検の点検作業を行うようにすれば、点検項目の落ちをなくすことができる。しかしながら、上記特許文献１の技術には、こうしたメーカー推奨点検の点検作業について一切記載がない。
【０００７】
そこで本発明は、自動車の点検作業の効率を向上し得る装置を提供することを目的とする。
【課題を解決するための手段】
【０００８】
本発明の自動車点検記録装置は、自動車の点検作業者が携帯する端末と、前記端末との間で音声信号による送受信を行い得るヘッドセットと、人の話す音声言語を解析し、話している内容を文字データとして取り出す処理を行う音声認識エンジンと、前記音声認識エンジンを利用するアプリケーションソフトとを備えている。前記アプリケーションソフトは、前記音声認識エンジンを用い、前記端末及びヘッドセットを介して少なくとも一つの点検項目を有する自動車の点検作業を音声で指示する機能と、前記点検作業の結果を前記端末及びヘッドセットを介し音声で受信して記録する機能と、全ての点検作業の結果を記録した後に点検作業の全ての結果を記入した点検記録票を作成する機能とを有している。
【発明の効果】
【０００９】
比較例１では、メカニックが点検記録票に点検作業結果をペンで書き込み、点検作業の終了後にはその手書きの点検作業の結果をメカニックがキーボードで入力する、という手入力の手間が必要であるが、本実施形態によれば、比較例１で生じていたペンでの書き込みやキーボードでの入力といった手間をメカニックからなくすことができる。音声認識の有する特性であるハンズフリー、アイズフリーを利用することで、比較例１より自動車の点検作業の効率を向上できる。
【図面の簡単な説明】
【００１０】
【図１Ａ】本発明の第１実施形態のメーカー推奨点検の点検記録票の一例である。
【図１Ｂ】第１実施形態のメーカー推奨点検の点検記録票の一例である。
【図２】本発明の第１実施形態の自動車点検記録装置の概略構成図である。
【図３】クラウドの主な機能を示す機能図である。
【図４】第１実施形態のアプリケーションソフトによって実行されるメカニックとクラウドとの間のデータの流れを示したものである。
【図５】第２実施形態の作業時間票である。
【図６】第３実施形態の自動車点検記録装置の概略構成図である。
【図７】第４実施形態の自動車点検記録装置の概略構成図である。
【図８】第５実施形態の自動車点検記録装置の概略構成図である。
【図９】第６実施形態の自動車点検記録装置の概略構成図である。
【図１０】第７実施形態の自動車点検記録装置の概略構成図である。
【発明を実施するための形態】
【００１１】
以下、本発明の実施形態を図面に基づき説明する。
【００１２】
（第１実施形態）
図１Ａ、図１Ｂは本発明の第１実施形態の自動車整備点検記録装置１により得られる点検記録票５の一例である。ここでは２つの図に分けて示すが、１つの図であってよい。様々な点検記録票があるが、ここではある１つのカーメーカーが推奨する点検（この点検を以下「メーカー推奨点検」という。）を参考にして簡略化したものを示している。
【００１３】
図１Ａ、図１Ｂにおいて、メーカー推奨点検の点検記録票５は複数の点検項目と各点検結果とで構成されている。メーカー推奨点検の点検項目は、「１．油類・液類」、「２．ブレーキ」、「３．ベルト類」、「４．タイヤ」、「５．ワイパー」、「６．エンジン」、「７．ウォーニングランプ」、「８．シートベルト」、「９．ライト」、「１０．下回り」の１０項目である。なお、点検項目は複数ある必要はなく、少なくとも一つあればよい。
【００１４】
メーカー推奨点検の点検結果は点検項目毎に異なっている。例えば「１．油類・液類」でみると、エンジンオイルとウインドウォッシャーに分かれている。エンジンオイルについてはオイルの量とオイル量の点検結果を「適切」と「不適切」の２段階で記載する。オイルの量の点検結果は例えば３段階の表示であってよい。上記のメーカー推奨点検では、「良好です。」、「そろそろ整備が必要になります。」、「今すぐ整備が必要です。」の３段階になっているが、これと同じであってよい。
【００１５】
メーカー推奨点検の点検記録票５のレイアウトは、図１Ａ、図１Ｂに示すものに限られない。前述のように図１Ａ、図１Ｂは上記のメーカー推奨点検を参考にして簡略化したものを示しているが、上記のメーカー推奨点検と同じであってよい。他のメーカー推奨点検の点検記録票であってもかまわない。要は、点検項目と、点検結果を文字や数値で記載するところがあればかまわない。
【００１６】
ここで、第１実施形態の自動車整備点検記録装置１に対する比較例１の自動車整備点検記録装置を説明する。比較例１のメーカー推奨点検の点検記録票のレイアウトは、図１Ａ、図１Ｂに示す第１実施形態と同じであるとする。比較例１のメーカー推奨点検の点検記録票の記載は、パソコン入力が一般的である。すなわち、比較例１のメーカー推奨点検の点検作業の流れは概ね次の通りである。
【００１７】
〈１〉自動車を運転して来店したカーユーザーより営業担当がメーカー推奨点検を依頼されたとき、営業担当はカーユーザーに店で待つようにお願いすると共に、サービス担当であるメカニックに指示する。指示を受けたメカニックはカーユーザーの自動車を整備・点検作業場に運び込む。
【００１８】
〈２〉整備・点検作業場でメーカー推奨点検の点検記録票に基づいて、メカニックがメーカー推奨点検の各点検作業を開始し、その点検結果をメーカー推奨点検の点検記録票にペンで順に手書きする。
【００１９】
〈３〉全ての点検作業を終了したらメカニックは整備・点検作業場から事務所や事務スペースに戻り、手書きの点検記録票からデータ（点検結果）を拾ってキーボードから打ち込む。
【００２０】
〈４〉キーボードからのデータの打ち込みを完了したら、全ての点検結果が記入されたメーカー推奨点検の点検記録票をプリンタからプリントアウトする。
【００２１】
〈５〉メカニックから連絡を受けた営業担当はプリントアウトされたメーカー推奨点検の点検記録票をカーユーザーに手渡す。
【００２２】
さて、比較例１のメーカー推奨点検の点検記録票は、図１Ａ、図１Ｂに示したように、カーユーザーにとってわかり易いレイアウトとしてあるので、メカニックが従う点検作業マニュアルの流れと必ずしも一致していない。
【００２３】
例えば、メカニックはエンジンルーム内を点検するときには、エンジンルーム内にある部品について点検作業マニュアルに従って全ての点検作業を行う。メーカー推奨点検の点検記録票でいえば、点検対象は、「１．油類・液類」のエンジンオイル、ウィンドウォッシャー、ブレーキのブレーキフルード、「３．ベルト類」のファンベルト、パワステアリングベルト、「６．エンジン」のバッテリ液などである。これらについての作業手順が点検作業マニュアルに記載されている。
【００２４】
車室内を点検するときには車室内にある部品について点検作業マニュアルに従って全ての点検作業を行う。メーカー推奨点検の点検記録票でいえば、点検対象は「２．ブレーキ」の駐車ブレーキレバー、ブレーキペダル、「５．ワイパー」のワイパー、ウィンドウォッシャー、「６．エンジン」のかかり具合・異音、「７．ウォーニングランプ」の室内のウォーニングランプなどである。これらについての作業手順も点検作業マニュアルに記載されている。
【００２５】
このため、比較例１の自動車整備点検記録装置では、メーカー推奨点検の点検記録票に記載されている点検項目の順と、点検作業マニュアルに記載されている作業手順との違いから、点検作業をし忘れる項目が生じ得る。すべての点検作業を終了したと勘違いして事務所に戻った後に、点検作業のし忘れに気がつき、再び整備・点検作業場に戻ってし忘れた点検作業を行うのでは点検作業の終了までの時間を長引かせることになり、待たしているカーユーザーをさらに待たせることになる。かといって、し忘れた点検作業を点検することなく、メカニックが勝手に作業結果を打ち込むことがないとはいえず、これでは点検作業の精度が低下する。
【００２６】
そこで本発明の第１実施形態では、メーカー推奨点検の点検作業を実行する際に、クラウド上に有する音声認識エンジンを利用する。この音声認識エンジンを用いてクラウドとの間で音声により対話し、メーカー推奨点検の点検結果はデータ通信を介してクラウド上に保存することにより、ペンによる点検結果の手書き入力やキーボードからの入力を不要とする。
【００２７】
このようなアイデアを具体化したのが図２で、図２は第１実施形態の自動車整備点検記録装置１の全体構成図である。自動車整備点検記録装置１は、音声認識エンジンを有するクラウド２、自動車整備点検記録装置１の利用者（以下「顧客」という。）１０の側に備える機器から構成される。顧客１０の側に備える機器は、メカニック（自動車の点検作業者）が携帯する携帯電話としてのスマートフォン１１、ヘッドセット２１、パソコン３１等から構成される。クラウド２はインターネットを介してスマートフォン１１と、スマートフォン１１は簡易な通信手段を介してヘッドセット２１とつながっている。また、クラウド２１はインターネットを介してパソコン３１ともつながっている。
【００２８】
ここで、「音声認識」とは、人の話す音声言語をコンピュータによって解析し、話している内容を文字データとして取り出す処理のことである。音声認識の技術自体は、古くから各生産施設での導入が狭い専門分野ごとに静かに進んでいたが、最近、音声認識の技術が飛躍的に進歩し、膨大なデータを高速処理する能力を有しワード辞書（ボキャブラリー）を充実させた音声認識が可能となっている。
【００２９】
そして、この高度処理能力を有する音声認識のソフトウェアは「音声認識エンジン」と呼ばれ、クラウド２でこの音声認識エンジンを利用するサービスを提供する企業が出現している。ここで、「クラウド」とは、データを自分のパソコンや携帯電話ではなく、インターネット上に保存する使い方、サービスのことをいう。自宅、会社など、様々な環境で携帯電話（主にスマートフォン１１）からこのクラウド２にアクセスし、クラウド２に保存している膨大なデータを閲覧、編集、アップロードできる。
【００３０】
音声認識エンジンを有するクラウド２そのものは公知であるので、これについて先に概説すると、図３はクラウド２の主な機能を示している。クラウド２は、音声認識エンジン３、自然言語処理部６、データベース７、音声合成部８から構成されている。音声認識エンジン３では、音響モデル４と単語辞書５を用いて、入力されてくる音声データを認識する。ここで、「音響モデル」とは、認識対象の音素がそれぞれどのような周波数特性を持っているかを表したもののことである。
【００３１】
「自然言語処理」とは、人間が日常的に使っている自然言語をコンピュータに処理させる一連の技術のことをいう。自然言語処理部６では、音声認識エンジン３によって認識された音声に基づいて意図解釈を行う。ここで、「意図解釈」とは、言語の意味を理解することである。
【００３２】
データベース７には、膨大なデータが格納され、そのデータの中には例えば自動車メーカーが製造している各自動車についての詳細なデータやメーカー推奨点検の点検作業マニュアルが格納されている。音声合成部８は音声を合成する。
【００３３】
本実施形態では、音声認識エンジンを利用するアプリケーションソフト（ソフトウェア）９を新たに作成し、このアプリケーションソフト９をクラウド２上に常駐させる。ここで、「アプリケーションソフト」とは、上記の顧客１０がクラウド２上の音声認識エンジン３を用いてメーカー推奨点検の点検作業を実行する機能を有するソフトウェアのことである。ここでは、アプリケーションソフト９は、メーカー推奨点検の点検作業を点検作業マニュアルに従い音声によって指示し、またメーカー推奨点検の点検作業の結果を点検作業と同時進行で、メカニックの発する音声を受けてクラウド上に記録するものである。詳細には、アプリケーションソフト９は、音声認識エンジン３を用い、スマートフォン１１及びヘッドセット２１を介してメーカー推奨点検（少なくとも一つの点検項目を有する自動車の点検）の点検作業を音声で指示する機能と、メーカー推奨点検の点検作業の結果をスマートフォン１１及びヘッドセット２１を介し音声で受信してクラウド２上に記録する機能と、メーカー推奨点検の全ての点検作業の結果を記録した後にメーカー推奨点検の点検作業の全ての結果を記入した点検記録票５を作成する機能とを有している。このアプリケーションソフト９が有する作成機能によって、メカニックがキーボード３３からの入力を行わなくても、プリンタ３４から自動的にメーカー推奨点検の点検記録票がプリントアウトされる。
【００３４】
この場合、メーカー推奨点検に用いる点検作業マニュアルの手順は、図１Ａ、図１Ｂに示したメーカー推奨点検の点検記録票５に記載されている点検項目の順ではなく、メーカー推奨点検に用いる点検作業マニュアルの指示する作業流れに従うものとする。メーカー推奨点検に用いる点検作業マニュアルによれば、例えば自動車のエンジンルームをメカニックが開いたときには、エンジンルーム内で行う全ての点検項目を順にもれなくメカニックに指示する。同様に運転室にメカニックが着席したときには、運転室内で行う全ての点検項目を順にもれなくメカニックに指示する。メーカー推奨点検に用いる点検作業マニュアルは予め作成しておく。
【００３５】
メーカー推奨点検を行うに際して、メーカー推奨点検に用いる点検作業マニュアルに従わせるメリットは、メーカー推奨点検の点検作業に要する時間を短縮することができ、点検作業漏れをなくすことができる点にある。また、メカニックに十分な経験がなくてもメーカー推奨点検の点検作業を行わせることができる点にある。
【００３６】
一方、図１Ａ、図１Ｂに示したと同じレイアウトを有する比較例１の点検記録票に記載されている点検項目の順に従ってメカニックが点検するのでは、特にメカニックに十分な経験がない場合に、メーカー推奨点検の点検作業の流れが途切れたり重複することになる。これによって、メーカー推奨点検の点検作業に無駄な時間を要したり、点検漏れが生じたりし得る。
【００３７】
図２に戻り、メカニックは、音声データ通信端末としてのスマートフォン１１を用いてクラウド２に常駐しているアプリケーションソフト９にアクセスする。この場合、スマートフォン１１とクラウド２との間の通信速度が問題になるが、最近ではデータ通信の技術が進歩し高速化している。例えば、第３世代（３Ｇ）携帯電話のデータ通信を高速化した規格をＬＴＥ（Ｌong  Ｔerm  Ｅvolution）というが、第３．９世代の携帯電話の場合、ＬＴＥでは下りで３７．５Ｍｂｐｓの通信速度を実現している。第４世代（４Ｇ）携帯電話の通信規格であるＬＴＥ−Ａｄｖａｎｃｅｄでは下りで１Ｇｂｐｓの通信速度を提供できるといわれている。
【００３８】
上記第３世代携帯電話にスマートフォン１１がある。スマートフォンの定義はいまだ確立されていない。スマートフォンを仮にインターネットとの親和性が高い多機能携帯電話であると定義すると、スマートフォン１１には、通話機能のほか、ファイルなどの閲覧機能、個人情報を管理する機能、マルチメディアプレーヤーとしての機能、ＧＰＳを利用できる機能、カメラ機能など各種の機能を有している。本実施形態ではスマートフォン１１を高速（所定の通信速度以上）で音声データ通信を行うことが可能な音声データ通信端末として利用する。スマートフォン１１と基地局（あるいは中継機器）とはＷi-Ｆi（ワイファイ）などの無線ＬＡＮでつながり、この基地局からインターネットにつながっている。
【００３９】
ヘッドセット２１は、メカニックの頭部にセットすることが可能で、メカニックの音声を拾うマイク２２と、メカニックの耳に音声を出力するスピーカー２３とで構成され、ヘッドセット２１とスマートフォン１１との間は、Ｂluetooth（登録商標、以下同じ。）でつながっている。ここで、Ｂluetoothはデジタル機器用の近距離無線通信規格の一つである。Ｂluetoothは数ｍから数十ｍ程度の距離の情報機器間で電波を使い簡易な情報のやりとりを行うのに使用される。
【００４０】
本実施形態では、顧客１０が雇用しているメカニックがヘッドセット２１及びスマートフォン１１を顧客１０の整備・点検作業場へ持参し、メーカー推奨点検の点検作業を行う。あるいは、整備・点検作業場に備えているヘッドセット２１及びスマートフォン１１を用いて顧客１０の雇用しているメカニックがメーカー推奨点検の点検作業を行う。整備・点検作業場では、メカニックがヘッドセット２１及びスマートフォン１１を介して、クラウド２中に常駐させているアプリケーションソフト９を働かせる。そして、音声で対話しながら、アプリケーションソフト９の指示に従ってメーカー推奨点検の点検作業を行い、点検結果をクラウド２に送信する。
【００４１】
アプリケーションソフト９の指示によって、全ての点検結果が記入されたメーカー推奨点検の点検記録票５を顧客１０のプリンタ３４からプリントアウトさせるため、パソコン３１、モニター３２、キーボード３３、プリンタ３４を備える。パソコン３１、モニター３２、キーボード３３、プリンタ３４を備えるに際しては、顧客１０の事務所や事務スペースに既にあるものでかまわない。なお、図２にはデスクトップパソコンを示しているが、ノートパソコンであってよい。
【００４２】
アプリケーションソフト９が実行するフローチャートは図示しないが、当該フローで、音声認識エンジン３を用い、スマートフォン１１及びヘッドセット２１を介してメーカー推奨点検の点検作業を音声で指示する機能と、点検作業の結果を音声で受信してクラウド２上に記録する機能と、全ての点検作業の終了後に点検作業の全ての結果を記載した点検記録票５を作成する機能とを実現することになる。図４は当該フローで実行されるメカニックとクラウド２との間のデータの流れを示したもので、これについて説明する。
【００４３】
〔１〕メーカー推奨点検に際しては、事務所や事務スペースにあるパソコン３１を起動し、インターネットを介してパソコン３１がクラウド２に繋がれた状態とする。プリンタ３４もＯＮにしてパソコン３１と繋ぎ印刷可能な状態にしておく。また、メカニックはメーカー推奨点検を営業担当から依頼されたときには、スマートフォン１１を整備・点検作業場に持参すると共に、ヘッドセット２１を自身に装着し、スマートフォン１１を起動し、スマートフォン１１によってクラウド２上のアプリケーションソフト９を起動する。これでメーカー推奨点検の点検作業の準備を完了する。
【００４４】
〔２〕メカニックがメーカー推奨点検の点検作業の開始を意味する［開始］という言葉をヘッドセット２１のマイク２２に向けて発すると、これが音声信号としてクラウド２に伝えられる。
【００４５】
〔３〕これを受けてクラウド２からは［準備ＯＫ］という言葉が合成音声としてヘッドセット２１のスピーカー２３から発せられる。
【００４６】
〔４〕続いてメーカー推奨点検のうちの点検項目１の実行を指示する［指示１］が合成音声でスピーカー２３から発せられるので、これを受けてメカニックが点検項目１の点検作業を実行する。
【００４７】
〔５〕点検項目１の点検作業の終了後にメカニックが点検項目１の点検結果である［作業結果１］をマイク２２に向けて発すると、これが音声信号としてクラウド２に伝えられ、クラウド２がその［作業結果１］をメモリに保存する。
【００４８】
〔６〕続いてメーカー推奨点検のうちの点検項目２の実行を指示する［指示２］が合成音声でスピーカー２３から発せられるので、これを受けてメカニックが点検項目２の点検作業を実行する。
【００４９】
〔７〕点検項目２の点検作業の終了後にメカニックが点検項目２の点検結果である［作業結果２］をマイク２２に向けて発すると、これが音声信号としてクラウド２に伝えられ、クラウドがその［作業結果２］をメモリに保存する。
【００５０】
〔８〕続いて、メーカー推奨点検のうちの点検項目３、点検項目４、・・・、最終の点検項目の実行を指示する［指示３］、［指示４］、・・・［最終の指示］に従って各点検作業を実行し、各点検結果を音声で伝える。メカニックが［最終の指示］に従って最終の点検項目の点検作業を実行し、その点検結果をクラウド２に音声で伝達した時点で、メーカー推奨点検の全ての点検作業が終了する。ここで、上記の［指示１］、［指示２］、・・・、［最終の指示］によって指示される点検項目１、点検項目２、・・・、最終の点検項目は、点検作業マニュアルに記載されている作業の流れに沿ったものとなるように予め定めておく。
【００５１】
〔９〕メカニックがメーカー推奨点検の点検作業終了を意味する［終了］という言葉をマイク２２に向けて発すると、これが音声信号としてクラウド２に伝えられる。これでメーカー推奨点検の全ての点検結果がクラウド２上のメモリに保存されているはずである。このとき、アプリケーションソフト９ではデータ（点検結果）の格納状況を見て、全ての点検結果がメモリに格納されていなければ、メカニックに点検がまだの点検項目についての点検作業を［再指示］で指示する。これを受けてメカニックが点検がまだの点検件項目の点検作業を実行し、その点検作業の結果をクラウド２に音声で伝達することで全ての点検結果がメモリに格納されると、［終了］が合成音声でスピーカー２３から発せられる。
【００５２】
〔１０〕このあと、アプリケーションソフト９では点検結果の全てを［データ］としてパソコン３１に送信し、メーカー推奨点検の全ての点検結果を記入した点検記録票５をプリンタ３４からプリントアウトする。このプリントアウトされたメーカー推奨点検の点検記録票５の一例が図１Ａ、図１Ｂである。
【００５３】
〔１１〕メカニックがスマートフォン１１によってクラウド上のアプリケーションソフト９の使用を終了し、ヘッドセット２１を自身から外し、事務所や事務スペースに戻ると、そこには、メーカー推奨点検の全ての点検結果を記入した点検記録票５が仕上がっている。比較例１のようにメカニックがキーボード３３から点検結果の入力を行うことは必要ない。
【００５４】
ここで、本実施形態の作用効果を説明する。
【００５５】
本実施形態では、自動車の点検作業者が携帯するスマートフォン１１（端末）と、スマートフォン１１との間で音声信号による送受信を行い得るヘッドセット２１と、人の話す音声言語を解析し、話している内容を文字データとして取り出す処理を行う音声認識エンジン３と、音声認識エンジン３を利用するアプリケーションソフト９とを備えている。そして、アプリケーションソフト９は、音声認識エンジン３を用い、スマートフォン１１及びヘッドセット２１を介してメーカー推奨点検の点検作業（少なくとも一つの点検項目を有する自動車の点検作業）を音声で指示する機能と、点検作業の結果をスマートフォン１１及びヘッドセット２１を介し音声で受信して記録する機能と、メーカー推奨点検の全ての点検作業の結果を記録した後にメーカー推奨点検の点検作業の全ての結果を記入した点検記録票５を作成する機能とを有している。比較例１では、メカニックがメーカー推奨点検の点検記録票に点検作業結果をペンで書き込み、メーカー推奨点検の点検作業の終了後にはその手書きの点検作業の結果をメカニックがキーボードで入力する、という手入力の手間が必要であるが、本実施形態によれば、比較例１で生じていたペンでの書き込みやキーボードでの入力といった手間をメカニックからなくすことができる。音声認識の有する特性であるハンズフリー、アイズフリーを利用することで、クラウド２上にある音声認識エンジン３を用いることがない比較例１よりメーカー推奨点検の点検作業の効率を向上できるのである。
【００５６】
本実施形態によれば、メーカー推奨点検の点検作業の指示は、点検作業マニュアルの流れに沿ったものであるので、メーカー推奨点検の点検作業の途切れや重複をなくして、メーカー推奨点検の点検作業に要する時間を短縮することができる。
【００５７】
本実施形態によれば、データをインターネット上に保存し該データを用いたサービスを提供するクラウド２をさらに備え、音声認識エンジン３及びアプリケーションソフト９は、クラウド９にあるので、月々のクラウド利用料を支払うだけで、クラウドを利用できる。
【００５８】
インターネットを介してクラウド２との間で音声データ通信を行う端末の通信速度が第２世代携帯電話のように相対的に遅いと、音声データ通信の遅れに伴うストレスを感じ得る。一方、本実施形態によれば、インターネットを介してクラウド２との間で音声データ通信を行う携帯電話は第３世代携帯電話であるスマートフォン１１またはそれよりも新しい世代の携帯電話であるので、通信速度が相対的に速く、これによって音声データ通信の遅れに伴うストレスを解消できる。
【００５９】
（第２実施形態）
図５は図１Ａ、図１Ｂに示したメーカー推奨点検の各点検作業に要した時間を記録した第２実施形態の作業時間票４１である。なお、図５には仮の数値を記載しており、実際の数値を示すものでない。
【００６０】
さて、点検作業の現場では、より一層の効率向上や正確さが常に求められている。このため、メーカー推奨点検の点検作業も「カイゼン」の対象となる。ここで、「カイゼン」とは、主に製造業の生産現場で行われている作業の見直し活動のことであるが、ここでは、「カイゼン」とは、メーカー推奨点検の点検作業の見直し活動のこととして定義する。
【００６１】
メーカー推奨点検の点検作業の見直しには、まず各点検作業にどれだけの時間を要しているのか否かを計測する必要がある。そのため、従来より行われているメーカー推奨点検の点検作業を第２実施形態に対する比較例２とする。また、比較例２の作業時間票のレイアウトは第２実施形態の図５と同じであるとする。
【００６２】
比較例２は、ストップウォッチを用意した観察者が、メカニックの行うメーカー推奨点検の各点検作業を見つつ、各点検作業毎にストップウォッチを働かせて、図５と同じレイアウトの作業時間票に各点検作業に要する時間をペンで記録していくというものである。
【００６３】
しかしながら、比較例２では、観察者が必要となるばかりか、作業時間表に観察者がペンで手書きしなければならず、作業時間票をプリントアウトするにはキーボードからの入力の手間が必要となる。
【００６４】
そこで、第２実施形態では、上記のアプリケーションソフト９にタイムスタンプの機能を付加する。ここで、「タイムスタンプ」とは、ある出来事が発生した日時、日付、時刻などを示す文字列のことで、電子データに属性として付与されている。第２実施形態では、タイムスタンプの機能をメーカー推奨点検の各点検作業に要する時間を記録するために用いる。例えば、点検作業の各指示を出力したタイミングより、その指示に従っておこなれた点検結果が送り返されてきたタイミングまでに経過した時間を点検作業に要した時間として記録させるのである。
【００６５】
タイムスタンプの機能を直接用いず、次のようにしてもかまわない。すなわち、メカニックから各点検作業の開始と終了とを音声で伝えさせるようにしておく。そして、アプリケーションソフト９では、メカニックから点検作業の開始を伝える音声信号が入力した時点で開始時刻を記録し、メカニックから点検作業の終了を伝える音声信号が入力した時点で終了時刻を記録する。すると、終了時刻と開始時刻との差の時間が点検作業に要した時間となるので、この点検作業に要した時間を各作業に対応付けてメモリに保存させる。
【００６６】
クラウド２上のメモリに保存した各点検作業時間のデータはクラウド２よりパソコン３１に送信し、全ての点検作業時間を記入した作業時間票４１をプリンタ３４からプリントアウトする。このプリントアウトされた作業時間票４１の一例が図５である。メカニックが点検作業を終了した後には、全ての点検作業時間を記入した作業時間票４１が仕上がっている。比較例２のように観察者がストップウォッチでメーカー推奨点検の各点検作業に要する時間を計測することは必要ない。
【００６７】
第２実施形態によれば、アプリケーションソフト９は、メーカー推奨点検の各点検作業に要する時間を計測する機能と、各点検作業に要する時間を記載した作業時間票４１を作成する機能とを備えるので、メカニックが一連の点検作業を実行するだけで、全ての点検作業に要した時間を記入した作業時間票４１が得られると共に、観察者による時間計測の手間を省略することができる。これによって、「カイゼン」につながるタイムマネジメントを効率的に行うことができる。
【００６８】
第１、第２の実施形態では、ある１つのカーメーカーが提供しているメーカー推奨点検の場合で説明したが、このメーカー推奨点検に限られるものでない。例えば、点検には、メーカー推奨点検以外にも法定定期点検、車検整備点検、修理受付時の問診と点検、日本損害保険協会に登録されているアジャスターが行う事故修理見積点検、新車の納入前点検などがある。これらの各点検にも本発明の適用がある。
【００６９】
次に、自動車整備点検記録装置１の利用形態について説明する。
【００７０】
（第３実施形態）
まず図６は第３実施形態のトータルクラウドサーバ型の自動車整備点検記録装置１の概略構成図である。
【００７１】
第１実施形態では一人の顧客１０について着目したが、第３実施形態は、図６に示したように複数の顧客がある場合を対象とするものである。例えば、全国に散らばって複数（ここでは３人）の顧客１０Ａ、１０Ｂ、１０Ｃがいるとする。この顧客数の違いにより、第３実施形態では、３人の顧客１０Ａ、１０Ｂ、１０Ｃが同時にメーカー推奨点検の点検作業を行っても対応可能なようにクラウド２上に常駐させるアプリケーションソフト９を作成しておく。また、各顧客１０Ａ、１０Ｂ、１０Ｃには、図２に示したスマートフォン１１、ヘッドセット２１、パソコン３１、モニター３２、キーボード３３、プリンタ３４を顧客１０Ａ、１０Ｂ、１０Ｃ毎に有させる。
【００７２】
第３実施形態では、クラウド２に常駐するアプリケーションソフト９が、各顧客１０Ａ、１０Ｂ、１０Ｃがそれぞれ雇用しているメカニックがスマートフォン１１及びヘッドセット２１を介して発生する、メーカー推奨点検の点検作業の結果を表す音声データを中央のクラウド２に集めてクラウド２上のメモリに格納する。そして、クラウド２上の音声認識エンジン３で各顧客１０Ａ、１０Ｂ、１０Ｃ毎に音声データを処理し、メーカー推奨点検の点検結果を対応する顧客１０Ａ、１０Ｂ、１０Ｃのパソコン３１に戻し、全ての点検作業結果を記入したメーカー推奨点検の点検記録票をプリントアウトさせる。
【００７３】
第３実施形態では、第１実施形態と顧客の数が相違するだけであるので、第３実施形態によっても、顧客１０Ａ、１０Ｂ、１０Ｃ毎に第１実施形態と同様の作用効果を奏する。
【００７４】
（第４実施形態）
図７は第４実施形態のグループ専用クラウドサーバ型の自動車整備点検記録装置１の概略構成図である。カーメーカーのグループ、カーディーラーのグループ等、比較的大きな企業グループでは自分達の企業グループで自分たちの企業グループに属する全てのデータを囲いたい、つまり自分たちの企業グループの外に自分たちの企業グループに関係するデータを漏らしたくないという要求がある。このため、そうした要求のある企業グループでは、自分達の企業グループ専用のクラウド（このクラウドを「グループ専用クラウド」という。）を有している。例えば１つの企業グループ５１が専有するグループ専用クラウドを、図７に示したように「グループ専用クラウド５２」とし、１つの企業グループ４１内に、仮に複数（ここでは３つ）のカーディーラー５３，５４，５５がいるとする。
【００７５】
第４実施形態は、こうしたグループ専用クラウド５２を有する企業グループを対象としている。すなわち、第４実施形態では、グループ専用クラウド５２上に音声認識エンジン３をインストールしてグループ専用クラウド５２上に音声認識エンジン３を常駐させておくと共に、グループ専用クラウド５２に第１実施形態で前述したアプリケーションソフト９を常駐させる。また、グループ企業５１を構成する各カーディーラー５３，５４，５５には、図２に示したスマートフォン１１、ヘッドセット２１、パソコン３１、モニター３２、キーボード３３、プリンタ３４をカーディーラー５３，５４，５５毎に有させる。
【００７６】
第４実施形態では、グループ専用クラウド５２に常駐するアプリケーションソフト９が、グループ企業５１を構成する各カーディーラー５３，５４，５５がそれぞれ雇用しているメカニックが発生する、メーカー推奨点検の点検作業の結果を表す音声データをグループ専用クラウド５２に集めてグループ専用クラウド５２上のメモリに格納する。そして、グループ専用クラウド５２上の音声認識エンジン３で各カーディーラー５３，５４，５５毎に音声データを処理し、メーカー推奨点検の点検結果を対応するカーディーラー５３，５４，５５のパソコン３１に戻し、全ての点検作業結果を記入したメーカー推奨点検の点検記録票をプリントアウトさせる。第４実施形態では、１つの企業グループ５１の内部でメーカー推奨点検の点検作業に関する音声データの送受信が完了しているので、メーカー推奨点検の点検作業に関するデータが企業グループ５１の外部に漏れることはない。
【００７７】
第４実施形態によれば、クラウドは、１つの企業グループ５１が専有するグループ専用クラウド５２であり、このグループ専用クラウド５２にアプリケーションソフト９を常駐させるので、メーカー推奨点検の点検記録票に記入されているデータついても、そのデータを自分達の企業グループで囲いたいという要求を満たすことができる。
【００７８】
（第５実施形態）
図８は第５実施形態の小規模店舗（例えば整備工場、営業所等）を対象とするローカル型の自動車整備点検記録装置１の概略構成図である。小規模店舗６１の内部には、図２に示したパソコン３１、モニター３２、キーボード３３、プリンタ３４を有している。
【００７９】
クラウド２を利用するには、クラウド２を利用するための費用を、クラウドを提供するサーバに毎月収めることが必要である。クラウド２を利用するための費用を毎月支払うことは、小規模店舗６１にとってはコストアップとなる。小規模店舗６１にとっては、常時はクラウドを利用しない形態が望ましい。
【００８０】
そこで第５実施形態はパソコン３１をクラウド２に常時接続しない場合を対象とする。すなわち、第５実施形態では、自動車整備点検記録装置１の使用開始時にのみ小規模店舗６１内のパソコン３１にクラウド２からインターネット経由で音声認識エンジン３をインストールしておく。音声認識エンジン３をインストールした後には小規模店舗６１内のパソコンをクラウド２に接続することはしない。また、小規模店舗６１内のパソコン３１に第１実施形態で前述したアプリケーションソフト９をインストールする。
【００８１】
さて、小規模店舗６１内に、スマートフォン１１及びヘッドセット２１の対（この対を「店舗内端末」という。）を少なくとも１つ備えさせる。ここでは、店舗内端末が６２，６３，６４の３つであるとする。店舗内でもスマートフォン１１を用いる点検整備場とパソコン３１の置かれている事務スペースとの間には所定の距離が存在すると考えられるので、店舗内端末６２，６３，６４の各スマートフォン１１とパソコン３１との間は、Ｗi-Ｆi（ワイファイ）などの無線ＬＡＮで接続する。スマートフォン１１とヘッドセット２１の間の接続はＢluetoothでよい。
【００８２】
第５実施形態では、小規模店舗６１内のパソコン３１にインストールされているアプリケーションソフト９が、３人のメカニックが各店舗内端末６２，６３，６４を介して発生する、メーカー推奨点検の点検作業の結果を表す音声データを、小規模店舗６１内のパソコン３１に集めてパソコン３１内のメモリに格納する。そして、パソコン３１内にインストールされている音声認識エンジン３で各店舗内端末６２，６３，６４毎に無線ＬＡＮを介して音声データを処理し、各店舗内端末６２，６３，６４毎にメーカー推奨点検の全ての点検作業結果を記入した点検記録票をプリンタ３４からプリントアウトする（スタンドアロンに近い）。
【００８３】
第５実施形態によれば、小規模店舗６１（１つの店舗）にパソコン３１、モニター３２、キーボード３３、プリンタ３４を備え、パソコン３１とクラウド２を接続してクラウド２上の音声認識エンジン３及びアプリケーションソフト９をパソコン３１にインストールするので、小規模店舗６１では、パソコン３１をクラウド２に常時接続しておくことに伴うコストアップを抑制できる。
【００８４】
上記第３、第４、第５の実施形態の自動車整備点検記録装置１の提供先としては、カーメーカー、カーディーラー、自動車整備専業者、自家整備業者（陸運業者、バス運送業者、タクシー運送業者）、ガソリン給油所、中古車販売業者、自動車保険会社（アジャスター）、ＪＡＦ（日本自動車連盟）が考えられる。
【００８５】
（第６実施形態）
図９は第６実施形態の小規模店舗（例えば整備工場、営業所等）を対象とする自動車点検記録装置の概略構成図である。第５実施形態の図８と同一部分には同一の符号を付している。
【００８６】
さて、本願を提出する日付においては、パソコンやスマートフォンなどの端末（第２の端末）に予めインストールされている音声認識エンジンが、本願を提出する日付より半年前のクラウド上にあった音声認識エンジンに近い能力を持つと共に膨大なメモリ容量をも持つようになってきている。この本願を提出する日付より半年前のクラウド上にあった音声認識エンジンに近い能力を有する音声認識エンジンを、以下、「クラウド上にある音声認識エンジンと同等の音声認識エンジン」という。このクラウド上にある音声認識エンジンと同等の音声認識エンジンを利用するのであれば、クラウド上にある音声認識エンジンそのものを利用することは必要ない。
【００８７】
そこで第６実施形態では、第５実施形態のようにクラウドからインターネット経由で音声認識エンジンをインストールすることはせず、パソコンに既にインストールされている、クラウド上にある音声認識エンジンと同等の音声認識エンジンを利用する。ただし、クラウド上にある音声認識エンジンと同等の音声認識エンジンがパソコンにインストールされているか否かは予め調査する。インストールされていなければ、クラウド上にある音声認識エンジンと同等の音声認識エンジンがインストールされているパソコンに交換する必要がある。
【００８８】
ここで、前述の第１〜第５の実施形態のパソコン３１には、クラウド上にある音声認識エンジンと同等の音声認識エンジンがインストールされていない。一方、第６実施形態のパソコンには、クラウド上にある音声認識エンジンと同等の音声認識エンジンがインストールされている。以下、クラウド上にある音声認識エンジンと同等の音声認識エンジンがインストールされているパソコンを第１〜第５実施形態のパソコン３１と区別するため「パソコン３１’」とする。
【００８９】
クラウド上にある音声認識エンジンと同等の音声認識エンジンがインストールされているパソコン３１’（端末）に、あらためて第１実施形態で前述したアプリケーションソフト９と同様のアプリケーションソフトをインストールする。
【００９０】
第１〜第５の実施形態で前述したアプリケーションソフト９は、クラウド２上にある音声認識エンジンを用い、スマートフォン１１（端末）及びヘッドセット２１を介して少なくとも一つの点検項目を有する自動車の点検作業を音声で指示する機能と、前記点検作業の結果をスマートフォン１１及びヘッドセット２１を介し音声で受信して記録する機能と、全ての点検作業の結果を記録した後に点検作業の全ての結果を記入した点検記録票を作成する機能とを有するものであった。一方、第６実施形態で用いるアプリケーションソフトは、パソコン３１’（端末）にインストールされている、クラウド上にある音声認識エンジンと同等の音声認識エンジンを用い、スマートフォン１１及びヘッドセット２１を介して少なくとも一つの点検項目を有する自動車の点検作業を音声で指示する機能と、前記点検作業の結果をスマートフォン１１及びヘッドセット２１を介し音声で受信して記録する機能と、全ての点検作業の結果を記録した後に点検作業の全ての結果を記入した点検記録票を作成する機能とを有するものである。以下、第６実施形態で用いるアプリケーションソフトを、第１〜第５の実施形態で用いるアプリケーションソフト９と区別するため「第２のアプリケーションソフト」という。
【００９１】
さて、小規模店舗６１内に、スマートフォン１１及びヘッドセット２１の対（この対を「店舗内端末」という。）を少なくとも１つ備えさせる。ここでも、第５実施形態と同様に、店舗内端末が６２，６３，６４の３つであるとする。第５実施形態と同様に、店舗内端末６２，６３，６４の各スマートフォン１１とパソコン３１との間をＷi-Ｆi（ワイファイ）などの無線ＬＡＮで接続する。スマートフォン１１とヘッドセット２１の間の接続はＢluetoothでよい。
【００９２】
第６実施形態では、パソコン３１’にインストールされている第２のアプリケーションソフトが、３人のメカニックが各店舗内端末６２，６３，６４を介して発生する、メーカー推奨点検の点検作業の結果を表す音声データを、小規模店舗６１内のパソコン３１’に集めてパソコン３１’内のメモリに格納する。そして、パソコン３１’内に予めインストールされている、クラウド上にある音声認識エンジンと同等の音声認識エンジンで各店舗内端末６２，６３，６４毎に無線ＬＡＮを介して音声データを処理し、各店舗内端末６２，６３，６４毎にメーカー推奨点検の全ての点検作業結果を記入した点検記録票をプリンタ３４からプリントアウトする。
【００９３】
第６実施形態によれば、小規模店舗６１（１つの店舗）にクラウド上にある音声認識エンジンと同等の音声認識エンジンを予めインストールしているパソコン３１’、モニター３２、キーボード３３、プリンタ３４を備え、第２のアプリケーションソフトをパソコン３１’にインストールする。つまり、音声認識エンジン及び第２のアプリケーションソフトは、パソコン３１’（端末）にあるので、小規模店舗６１では、パソコン３１’をクラウド２に常時接続しておくことに伴うコストアップを抑制できる。
【００９４】
（第７の実施形態）
図１０は第７実施形態の小規模店舗（例えば整備工場、営業所等）を対象とする自動車点検記録装置の概略構成図である。第５実施形態の図８と同一部分には同一の符号を付している。
【００９５】
第６実施形態は、クラウド上にある音声認識エンジンと同等の音声認識エンジンを予めインストールしているパソコン３１’を有するものが対象であった。一方、第７実施形態は、クラウド上にある音声認識エンジンと同等の音声認識エンジンを予めインストールしているスマートフォンを対象とするものである。ここで、前述の第１〜第５の実施形態のスマートフォン１１には、クラウド上にある音声認識エンジンと同等の音声認識エンジンがインストールされていない。一方、第７実施形態のスマートフォンパソコンには、クラウド上にある音声認識エンジンと同等の音声認識エンジンがインストールされている。以下、クラウド上にある音声認識エンジンと同等の音声認識エンジンがインストールされているスマートフォンを第１〜第５実施形態のスマートフォン１１と区別するため「スマートフォン１１’」とする。
【００９６】
クラウド上にある音声認識エンジンと同等の音声認識エンジンがインストールされているスマートフォン１１’（端末）に、あらためて第６実施形態で前述した第２のアプリケーションソフトをインストールする。
【００９７】
さて、小規模店舗６１内に、スマートフォン１１’及びヘッドセット２１の対（この対を「店舗内端末」という。）を少なくとも１つ備えさせる。ここでも、第５実施形態と同様に、店舗内端末が６２，６３，６４の３つであるとする。第６実施形態でも、店舗内端末６２，６３，６４の各スマートフォン１１’とパソコン３１との間をＷi-Ｆi（ワイファイ）などの無線ＬＡＮで接続する。スマートフォン１１’とヘッドセット２１の間の接続はＢluetoothでよい。
【００９８】
第７実施形態では、各店舗内端末６２，６３，６４のスマートフォン１１’にインストールされている第２のアプリケーションソフトが、３人のメカニックが発生するメーカー推奨点検の点検作業の結果を表す音声データを、スマートフォン１１’内のメモリに格納する。そして、スマートフォン１１’内に予めインストールされている、クラウド上にある音声認識エンジンと同等の音声認識エンジンで各スマートフォン１１’毎にＢluetooth（ブルートゥース）を介して音声データを処理し、その結果をパソコン３１に無線ＬＡＮを介して送信させる。この送信を受けるパソコン３１では、各店舗内端末６２，６３，６４のスマートフォン１１’毎にメーカー推奨点検の全ての点検作業結果を記入した点検記録票をプリンタ３４からプリントアウトする。
【００９９】
第７実施形態によれば、小規模店舗６１（１つの店舗）にパソコン３１、モニター３２、キーボード３３、プリンタ３４を備え、クラウド上にある音声認識エンジンと同等の音声認識エンジンを予めインストールしているスマートフォン１１’に第２のアプリケーションソフトをインストールする。つまり、音声認識エンジン及び第２のアプリケーションソフトは、スマートフォン１１’（端末）にあるので、小規模店舗６１では、パソコン３１をクラウド２に常時接続しておくことに伴うコストアップを抑制できる。
【０１００】
第６、第７の実施形態に対しても、第２実施形態を追加することが可能である。すなわち、第２のアプリケーションソフトに、メーカー推奨点検の各点検作業に要する時間を計測する機能と、各点検作業に要する時間を記載した作業時間票４１を作成する機能とをさらに付加する。これによって、第２実施形態と同じに、メカニックが一連の点検作業を実行するだけで、全ての点検作業に要した時間を記入した作業時間票４１が得られると共に、観察者による時間計測の手間を省略することができる。これによって、「カイゼン」につながるタイムマネジメントを効率的に行うことができる。
【０１０１】
第７実施形態では、端末がスマートフォン１１’である場合で説明したが、これに限られるものでない。例えば、タブレット型コンピュータにも最近ではクラウド上にある音声認識エンジンと同等の音声認識エンジンが予めインストールされている。このため、クラウド上にある音声認識エンジンと同等の音声認識エンジンがインストールされているタブレット型コンピュータを、スマートフォン１１’に代えて、端末とすることができる。
【０１０２】
また、ＰＤＡ（Ｐersonal  Ｄigital  Ａssistant）といわれる携帯情報端末がある。こうした携帯情報端末にも最近ではクラウド上にある音声認識エンジンと同等の音声認識エンジンが予めインストールされている。このため、クラウド上にある音声認識エンジンと同等の音声認識エンジンがインストールされている携帯情報端末を、スマートフォン１１’に代えて、端末とすることができる。
【０１０３】
さらに、上記タブレット型コンピュータや携帯情報端末は第１〜第５の実施形態のスマートフォン１１に代えて、端末とすることもできる。
【符号の説明】
【０１０４】
１  自動車整備点検記録装置
２  クラウド
３  音声認識エンジン
９  アプリケーションソフト
１０  顧客
１０Ａ、１０Ｂ、１０Ｃ  顧客
１１  スマートフォン（端末、第３世代携帯電話）
１１’  スマートフォン（端末）
２１  ヘッドセット
３１  パソコン
３１’  パソコン（端末）
３２  モニター
３３  キーボード
３４  プリンタ
５１  １つの企業グループ
５２  グループ専用クラウド
５３，５４，５５  自動車ディーラー
６１  小規模店舗（１つの店舗）
６２，６３，６４  店舗内端末
【図１Ａ】
2015009630.tif 000003
【図１Ｂ】
2015009630.tif 000004
【図２】
2015009630.tif 000005
【図３】
2015009630.tif 000006
【図４】
2015009630.tif 000007
【図５】
2015009630.tif 000008
【図６】
2015009630.tif 000009
【図７】
2015009630.tif 000010
【図８】
2015009630.tif 000011
【図９】
2015009630.tif 000012
【図１０】
2015009630.tif 000013